(57)【要約】      （修正有）【課題】ゴルフティーを携帯するゴルフ用手袋において、どのようなサイズのゴルフティーであっても抜け落ちたりすることがなく携帯する事ができ、ゴルフティーの挿入や取り出しが容易で安価なゴルフ用手袋を提供する。【解決手段】切開された手袋の手首部位を締結するために一側に接着面１を形成し、他側に締結片２を形成した通常のゴルフ用手袋において、前記締結片２上に面ファスナーの接合面Ａ３を固定し、接合面Ｂ４を互いに接合させる方向に固定するとともに、ゴルフティー６をその接合面に刺す事でどのようなサイズのゴルフティーであっても確実に携帯する事ができるゴルフ用手袋を安価に構成する。【選択図】図１
0003120307.tif 000002
【実用新案登録請求の範囲】
【請求項１】
切開された手袋の手首部位を締結するために一側に接着面１を形成し、他側に締結片２を形成したゴルフ用手袋において、前記締結片２上に面ファスナーの接合面Ａ３を固定するとともに、接合面Ｂ４を互いに接合させる方向に固定したことを特徴とするゴルフティーを携帯するゴルフ用手袋。
【考案の詳細な説明】
【技術分野】
【０００１】
本考案は、ゴルフを行う上で必要なゴルフティーを携帯するのに適したゴルフ用手袋に関するものである。
【背景技術】
【０００２】
ゴルフは、ゴルフボールをゴルフクラブで打つ競技であるため、ゴルフボール及びゴルフクラブはもちろんの事、そのほかにゴルフティーやマーカーを携帯して行う。
【０００３】
そのため、ゴルフティーなどの小さな物はポケットに入れて携帯することが多いが、ゴルフティーの鋭利な部位が身体を刺激するため不快感をおぼえるばかりでなく、ポケットが損傷するなどの問題がある。
【０００４】
そのため、ゴルフティーをポケット以外の場所で携帯するためにいろいろな携帯用器具が考案されており、登録実用新案第３０３３０００号のように、ゴルフ用手袋に刺して携帯する手袋も考案されている。
【０００５】
しかし上記実用新案は、手袋の手首部位を締結する締結片の上部にゴルフティーを挿入する挿入穴を、傾きを設けて複数設け、携帯するものであるが、挿入穴を裁縫により縫って形成しているため、決まった太さや長さのゴルフティー以外は入らなかったり、抜け落ちたり、スイング動作の妨げになることがある。
【特許文献１】登録実用新案第３０３３０００号公報
【考案の開示】
【考案が解決しようとする課題】
【０００６】
本考案はゴルフティーを携帯するゴルフ用手袋において、どのようなサイズのゴルフティーであっても抜け落ちたりすることがなく携帯する事ができ、ゴルフティーの挿入や取り出しが容易で安価なゴルフ用手袋を提供することを目的とする。
【課題を解決するための手段】
【０００７】
本考案は、前記した課題を解決する手段として、切開された手袋の手首部位を締結するために一側に接着面１を形成し、他側に締結片２を形成したゴルフ用手袋において、前記締結片２上に面ファスナーの接合面Ａ３を固定し、接合面Ｂ４を互いに接合させる方向に固定するとともに、ゴルフティー６をその接合面に刺す事でどのようなサイズのゴルフティーであっても確実に携帯する事ができるゴルフ用手袋を安価に構成する。
【考案の効果】
【０００８】
上記構成にする事により、締結片２上の面ファスナーの接合面Ａ３及び接合面Ｂ４は接合しているので、ゴルフティー６の鋭利な先端部を挿入すると接合面Ａ３及び接合面Ｂ４が押し広げられ、そのゴルフティー６の形状に倣ってはがされていくため、どのようなサイズや形状であっても適度な抵抗をもってはさまれ、抜け落ちることがない。
【０００９】
複数本のゴルフティーを携帯する場合でも、接合面Ａ３及び接合面Ｂ４の接合している箇所に挿入すれば良いため、接合部のある限り何本でも携帯する事ができる。
【００１０】
ゴルフティーを抜き取った時には接合面Ａ３及び接合面Ｂ４の間に空間ができるが、面ファスナーで構成されているため、上部から押さえる事により再度接合するので、大きさの違うゴルフティーを携帯する場合でも確実に携帯できる。
【００１１】
切開された手袋の手首部位を締結するための締結片２は通常手の甲の部分に構成されているため、ゴルフティーを携帯していてもスイングなどの動作に影響がなく、いつでも片手で挿入や取り出しが遅滞なく出来るので、プレーの妨げになる事がなく、快適なゲームを楽しむ事ができる。
【００１２】
さらに、面ファスナーを使用して携帯用ホルダーを構成した事で、安価に製作することができる。
【考案を実施するための最良の形態】
【００１３】
以下、本考案の実施の形態を図面に基づいて説明する。
【実施例１】
【００１４】
ゴルフ用手袋５は、切開された手袋の手首部位を締結片２が接着面１に締結して固定しており、通常接着面１は手の甲側に配置されてスイング動作などに影響しないように配慮されている。
【００１５】
図１及び図２に示すように、本実施例は締結片２上に面ファスナーの接合面Ａ３及び接合面Ｂ４を互いに接合させる方向に固定し、その接合面にゴルフティー６を挿入する事でゴルフティー６を携帯する。
【００１６】
ゴルフ用手袋５の手首部は、手袋を着脱しやすいように切開されており、接着面１と締結片２には面ファスナーが貼られているため、装着してから締結片２を接着面１に押しつけることによりゴルフ用手袋５を手に固定できるようになっている。
【００１７】
本実施例では面ファスナーを使用したゴルフ用手袋について説明するが、フォックやファスナーなどにより手首に固定する手袋にも適用する事ができる。
【００１８】
締結片２の上部には面ファスナーの接合面Ａ３が固定されており、その横には接合面Ｂ４が固定されており、接合面Ａ３と接合面Ｂ４は接合面Ｂ４を折り返す事により、接合面Ａ３と接合面Ｂ４を接合させる事ができる。
【００１９】
他の実施例として、面ファスナーの接合面Ａ３と接合面Ｂ４を接合させた状態で締結片２の上部に固定する方法についても有効である。
【００２０】
次にゴルフティーの携帯方法について説明する。
【００２１】
左手首にはめられたゴルフ用手袋は５の甲の部分には締結片２があり、ゴルフティー６は腕側から手の甲の方向に収納されている。
【００２２】
ゴルフティー６を使用する場合にはゴルフティーの大径部を持って腕の方向に引き抜き、使用後は腕の方向から接合面Ａ３と接合面Ｂ４の接合面に差し込むことで収納し、携帯することができる。
【００２３】
ゴルフティー６はロングティーやショートティーなどの様々な種類があるが、長さや太さが違うサイズでも面ファスナーを使用することで確実に携帯でき、ゴルフ手袋の手の甲に携帯するため、スイングなどの動作に影響しない
【産業上の利用可能性】
【００２４】
上記ゴルフ用手袋は、ゴルフティーを携帯するのに適したものであるが、手首の動作を阻害しない範囲であれば、短い記入用ペンなどの細長い棒状のものの携帯に使用する事もできる。
【図面の簡単な説明】
【００２５】
【図１】本実施例の斜視図
【図２】本実施例を説明する説明図
【図３】他の実施例を説明する説明図
【図４】本実施例の動作を説明する説明図
【符号の説明】
【００２６】
１    接着面
２    締結片
３    接合面Ａ
４    接合面Ｂ
５    ゴルフ用手袋
６    ゴルフティー
【図１】
0003120307.tif 000003
【図２】
0003120307.tif 000004
【図３】
0003120307.tif 000005
【図４】
0003120307.tif 000006